【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
表示手段上へのタッチを検出するタッチ検出手段と、
第１の表示オブジェクトを前記表示手段の第１の領域に表示するとともに第２の表示オブジェクトを前記第１の領域とは異なる前記表示手段の第２の領域に表示するように制御する表示制御手段と、
前記表示手段上の前記第１の領域へのタッチの継続時間を計時する計時手段と、
前記表示手段上へのタッチが離されるタッチアップを検出するタッチアップ検出手段と、
前記タッチ検出手段によって前記第１の領域へのタッチを検出していた状態から前記タッチアップ検出手段によってタッチアップを検出した際に、前記計時手段によって計時した継続時間が所定時間に達していない場合は前記第１の領域に割り当てられた第１の機能を実行し、
前記タッチ検出手段によって前記第１の領域へのタッチを検出していた状態から前記タッチアップ検出手段によってタッチアップを検出した際に、前記計時手段によって計時した継続時間が前記所定時間に達していた場合は、該タッチアップに応じた前記第１の機能の実行をしないように制御し、
前記第２の領域へのタッチを検出していた状態からタッチアップを検出した場合には、該第２の領域へのタッチの継続時間が前記所定時間を超えていても、該第２の領域に割り当てられた第２の機能を実行するように制御する制御手段と
を有することを特徴とする情報処理装置。
【請求項２】
表示手段上へのタッチを検出するタッチ検出手段と、
第１の表示オブジェクトを前記表示手段の第１の領域に表示するとともに第２の表示オブジェクトを前記第１の領域とは異なる前記表示手段の第２の領域に表示するように制御する表示制御手段と、
前記表示手段上の前記第１の領域へのタッチの継続時間を計時する計時手段と、
前記表示手段上へのタッチが離されるタッチアップを検出するタッチアップ検出手段と、
前記タッチ検出手段によって前記第１の領域へのタッチを検出していた状態から前記タッチアップ検出手段によってタッチアップを検出した際に、前記計時手段によって計時した継続時間が所定時間に達していない場合は前記第１の領域に割り当てられた第１の機能を実行し、
前記タッチ検出手段によって前記第１の領域へのタッチを検出していた状態から前記タッチアップ検出手段によってタッチアップを検出した際に、前記計時手段によって計時した継続時間が前記所定時間に達していた場合は、該タッチアップに応じた前記第１の機能の実行をしないように制御し、
前記第２の領域へのタッチを検出していた状態からタッチアップを検出した場合には、該第２の領域へのタッチの継続時間が前記所定時間を超えていたか否かに関わらず、前記第２の領域からのタッチアップに応じて前記第２の機能を実行するように制御する制御手段と
を有することを特徴とする情報処理装置。
【請求項３】
前記第１の機能は、前記情報処理装置の備える撮像手段による撮像に関する機能であることを特徴とする請求項１または２に記載の情報処理装置。
【請求項４】
前記第２の領域へのタッチの継続時間を計時する第２の計時手段を更に有し、
前記制御手段は、前記タッチ検出手段によって前記第２の領域へのタッチを検出していた状態から前記タッチアップ検出手段によってタッチアップを検出した際に、前記第２の計時手段によって計時した継続時間が前記所定時間よりも長い第２の時間に達していない場合は、前記第２の領域に割り当てられた機能を実行し、
前記タッチ検出手段によって前記第２の領域へのタッチを検出していた状態から前記タッチアップ検出手段によってタッチアップを検出した際に、前記第２の計時手段によって計時した継続時間が前記第２の時間に達していた場合は、該タッチアップに応じた前記第２の領域に割り当てられた機能の実行をしないように制御することを特徴とする請求項１乃至３の何れか１項に記載の情報処理装置。
【請求項５】
当該情報処理装置の姿勢を検出する姿勢検出手段を更に有し、
前記姿勢検出手段で検出された姿勢に応じて、前記表示手段上の異なる位置を前記第１の領域として扱うことを特徴とする請求項１乃至４のいずれか１項に記載の情報処理装置。
【請求項６】
前記制御手段は、当該情報処理装置が第１のモードである場合に、前記タッチ検出手段によって前記第１の領域へのタッチを検出していた状態から前記タッチアップ検出手段によってタッチアップを検出した際に、前記計時手段によって計時した継続時間が前記所定時間に達していた場合は、該タッチアップに応じた前記第１の機能の実行をしないように制御し、
当該情報処理装置が前記第１のモードでない場合には、前記タッチ検出手段によって前記第１の領域へのタッチを検出していた状態から前記タッチアップ検出手段によってタッチアップを検出した場合には、前記第１の領域へのタッチの継続時間が前記所定時間を超えていたか否かに関わらず、前記第１の領域に割り当てられた機能を実行するように制御することを特徴とする請求項１乃至５のいずれか１項に記載の情報処理装置。
【請求項７】
前記情報処理装置はさらに、
撮像手段による撮影を行う撮影モードと再生モードとを含む複数のモードの中から１つのモードに切り替えるモード切替手段を有し、
前記第１のモードは前記撮影モードであることを特徴とする請求項６に記載の情報処理装置。
【請求項８】
前記情報処理装置はさらに、撮像手段による撮像の指示をユーザから受け付けるためのシャッター操作部材を有し、
前記第１の領域は、前記表示手段のうち前記シャッター操作部材から最も近い頂点に対して、前記第２の領域よりも近い位置の領域であることを特徴とする請求項１乃至７のいずれか１項に記載の情報処理装置。
【請求項９】
前記情報処理装置はさらに、撮像手段による撮像の指示をユーザから受け付けるためのシャッター操作部材を有し、
前記第１の領域は、前記表示手段のうち前記シャッター操作部材から最も近い頂点から最も近い位置に表示されたボタンアイコンの領域であることを特徴とする請求項１乃至７のいずれか１項に記載の情報処理装置。
【請求項１０】
前記表示制御手段はさらに、
前記計時手段によって計時した継続時間が前記所定時間に達した場合に、第１の警告を前記表示手段に表示するように制御することを特徴とする請求項１乃至９のいずれか１項に記載の情報処理装置。
【請求項１１】
前記第１の警告は、前記第１の領域がタッチされていることを表す警告であることを特徴とする請求項１０に記載の情報処理装置。
【請求項１２】
前記情報処理装置はさらに、前記第１の領域以外の領域が前記第１の領域と同時にタッチされたか否かを判定する多点タッチ判定手段を有し、
前記表示制御手段はさらに、前記第１の警告を表示した状態で、前記多点タッチ判定手段によって前記第１の領域以外の領域が前記第１の領域と同時にタッチされたと判定された場合に、第２の警告を前記表示手段に表示するように制御することを特徴とする請求項１０または１１に記載の情報処理装置。
【請求項１３】
前記第２の警告は、前記タッチによる操作が不可能であることを表す警告であることを特徴とする請求項１２に記載の情報処理装置。
【請求項１４】
前記タッチ検出手段は、前記表示手段上における単一のタッチ位置のみを検出可能であり、
前記多点タッチ判定手段は、前記第１の領域へのタッチを検出していた状態から、前記タッチアップ検出手段でタッチアップを検出せずに、前記表示手段上の所定の範囲内に対するタッチを検出した場合には、前記第１の領域以外の位置が前記第１の領域と同時にタッチされたと判定することを特徴とする請求項１２または１３に記載の情報処理装置。
【請求項１５】
前記第２の警告は、前記所定の範囲内に対する前記タッチの位置を中心として前記第１の領域で検出されたタッチの位置と点対称の位置に割り当てられた機能が実行不可能であることを表す警告であることを特徴とする請求項１４に記載の撮像装置。
【請求項１６】
表示手段上へのタッチを検出するタッチ検出ステップと、
第１の表示オブジェクトを前記表示手段の第１の領域に表示するとともに第２の表示オブジェクトを前記第１の領域とは異なる前記表示手段の第２の領域に表示するように制御する表示制御ステップと、
前記表示手段上の前記第１の領域へのタッチの継続時間を計時する計時ステップと、
前記表示手段上へのタッチが離されるタッチアップを検出するタッチアップ検出ステップと、
前記タッチ検出ステップによって前記第１の領域へのタッチを検出していた状態から前記タッチアップ検出ステップによってタッチアップを検出した際に、前記計時ステップによって計時した継続時間が所定時間に達していない場合は前記第１の領域に割り当てられた第１の機能を実行し、
前記タッチ検出ステップによって前記第１の領域へのタッチを検出していた状態から前記タッチアップ検出ステップによってタッチアップを検出した際に、前記計時ステップによって計時した継続時間が前記所定時間に達していた場合は、該タッチアップに応じた前記第１の機能の実行をしないように制御し、
前記第２の領域へのタッチを検出していた状態からタッチアップを検出した場合には、該第２の領域へのタッチの継続時間が前記所定時間を超えていても、該第２の領域に割り当てられた第２の機能を実行するように制御する制御ステップと
を有することを特徴とする情報処理装置の制御方法。
【請求項１７】
表示手段上へのタッチを検出するタッチ検出ステップと、
第１の表示オブジェクトを前記表示手段の第１の領域に表示するとともに第２の表示オブジェクトを前記第１の領域とは異なる前記表示手段の第２の領域に表示するように制御する表示制御ステップと、
前記表示手段上の前記第１の領域へのタッチの継続時間を計時する計時ステップと、
前記表示手段上へのタッチが離されるタッチアップを検出するタッチアップ検出ステップと、
前記タッチ検出ステップによって前記第１の領域へのタッチを検出していた状態から前記タッチアップ検出ステップによってタッチアップを検出した際に、前記計時ステップによって計時した継続時間が所定時間に達していない場合は前記第１の領域に割り当てられた第１の機能を実行し、
前記タッチ検出ステップによって前記第１の領域へのタッチを検出していた状態から前記タッチアップ検出ステップによってタッチアップを検出した際に、前記計時ステップによって計時した継続時間が前記所定時間に達していた場合は、該タッチアップに応じた前記前記第１の機能の実行をしないように制御し、
前記第２の領域へのタッチを検出していた状態からタッチアップを検出した場合には、該第２の領域へのタッチの継続時間が前記所定時間を超えていたか否かに関わらず、前記第２の領域からのタッチアップに応じて前記第２の機能を実行するように制御する制御ステップと
を有することを特徴とする情報処理装置の制御方法。
【請求項１８】
コンピュータを、請求項１乃至１５のいずれか１項に記載された情報処理装置の各手段として機能させるプログラム。
【請求項１９】
コンピュータを、請求項１乃至１５のいずれか１項に記載された情報処理装置の各手段として機能させるプログラムを記録したコンピュータが読み取り可能な記録媒体。
【手続補正２】
【補正対象書類名】明細書
【補正対象項目名】００１１
【補正方法】変更
【補正の内容】
【００１１】
上記課題を解決するために、本発明の情報処理装置は、
表示手段上へのタッチを検出するタッチ検出手段と、
第１の表示オブジェクトを前記表示手段の第１の領域に表示するとともに第２の表示オブジェクトを前記第１の領域とは異なる前記表示手段の第２の領域に表示するように制御する表示制御手段と、
前記表示手段上の前記第１の領域へのタッチの継続時間を計時する計時手段と、
前記表示手段上へのタッチが離されるタッチアップを検出するタッチアップ検出手段と、
前記タッチ検出手段によって前記第１の領域へのタッチを検出していた状態から前記タッチアップ検出手段によってタッチアップを検出した際に、前記計時手段によって計時した継続時間が所定時間に達していない場合は前記第１の領域に割り当てられた第１の機能を実行し、
前記タッチ検出手段によって前記第１の領域へのタッチを検出していた状態から前記タッチアップ検出手段によってタッチアップを検出した際に、前記計時手段によって計時した継続時間が前記所定時間に達していた場合は、該タッチアップに応じた前記第１の機能の実行をしないように制御し、
前記第２の領域へのタッチを検出していた状態からタッチアップを検出した場合には、該第２の領域へのタッチの継続時間が前記所定時間を超えていても、該第２の領域に割り当てられた第２の機能を実行するように制御する制御手段と
を有することを特徴とする。